(57)【要約】【課題】画像を表示するための良好な装置または方法を提供する。【解決手段】表示システム上に表示される画像の表示を調整するための方法は、画像の表示の表示均一性に影響を与える少なくとも１つのハードウェアの特徴（ｆ1，ｆ2，ｆ3）、たとえば欠陥画素、シーム、ハードウエア部品の位置変動等を含む表示システムに適する。当該方法は、表示システム（１００）上に表示される画素化画像情報を得るステップと、分布変動補正信号を画素化画像情報の表示に与えることによってその表示を調整するステップとを含む。分布変動補正信号は、表示均一性の知覚に影響を与えるような表示システム（１００）の少なくとも１つのハードウェアの特徴（ｆ1，ｆ2，ｆ3）を考慮する。【選択図】図１
2009093181.tif 000002
【特許請求の範囲】
【請求項１】
表示システムにおいて表示される画像の表示を調整するための方法であって、
表示システム（１００）において表示される画素化画像情報を得るステップを備え、前記表示システム（１００）は、画像の表示の表示均一性に影響を与える少なくとも１つのハードウェアの特徴（ｆ1，ｆ2，ｆ3）を含み、さらに、
分布輝度および／または色変動補正信号を画素化画像情報の表示に与えることによって、画素化画像情報の表示を調整するステップを備えることを特徴とし、前記分布輝度および／または色変動補正信号は、前記表示均一性の知覚に影響を与えるような前記表示システム（１００）の前記少なくとも１つのハードウェアの特徴（ｆ1，ｆ2，ｆ3）を考慮する、方法。
【請求項２】
前記ハードウェアの特徴（ｆ1，ｆ2，ｆ3）は機械的な特徴である、請求項１に記載の方法。
【請求項３】
表示システム（１００）はタイル型表示システムであり、複数の表示タイル（１１０）を含み、
変動補正信号を与えることによって画素化画像情報の表示を調整するステップは、前記表示タイル（１１０）間の複数のシームを考慮して、分布輝度および／または色変動補正信号を与えることによって、画素化情報の表示を調整するステップを含む、請求項２に記載の方法。
【請求項４】
前記少なくとも１つのハードウェアの特徴（ｆ1，ｆ2，ｆ3）は画素における欠陥を含む、請求項１から３のいずれか１項に記載の方法。
【請求項５】
前記表示システムを較正し、前記少なくとも１つのハードウェアの特徴（ｆ1，ｆ2，ｆ3）を前記較正から決定するステップをさらに備える、請求項１から４のいずれか１項に記載の方法。
【請求項６】
分布輝度および／または色変動補正信号を画素化画像情報の表示に与えるステップは、空間的に変動する輝度および／または色補正値を画素化表示情報の表示に与えるステップを含む、請求項１から５のいずれか１項に記載の方法。
【請求項７】
分布変動補正信号を動的に制御するステップを備える、請求項１から６のいずれか１項に記載の方法。
【請求項８】
少なくとも１つのハードウェアの特徴において変化が検出されると、分布変動補正信号を調整するステップを備える、請求項７に記載の方法。
【請求項９】
表示システムによって映された異なるフレーム間で分布変動補正信号を変動させるステップを備える、請求項７または８に記載の方法。
【請求項１０】
分布変動補正信号を動的に制御するステップは、振幅、帯域幅または時間における分布のいずれかを調整するステップを含む、請求項７から９のいずれか１項に記載の方法。
【請求項１１】
画素化表示情報を特定のタイルについての画素化表示情報に分割する前に、分布変動補正信号を画素化表示情報に与えるステップを備える、請求項３に従属する限りにおいて請求項１から１０のいずれか１項に記載の方法。
【請求項１２】
分布変動補正信号を複数の表示タイルに別個に与えるステップを備える、請求項３に従
属する限りにおいて請求項１から１０のいずれか１項に記載の方法。
【請求項１３】
請求項１から１２のいずれか１項に記載の方法において使用される表示システムにおいて表示される画像の表示を調整するための補正信号を導出するための方法であって、
画像の表示の表示均一性に影響を与える表示システムの少なくとも１つのハードウェアの特徴に関する情報を得るステップと、
前記表示システムの前記少なくとも１つのハードウェアの特徴を考慮して、分布輝度および／または色変動補正信号を導出するステップとを備える、方法。
【請求項１４】
表示システムの画素化表示情報を処理するための画像プロセッサであって、画像プロセッサは、得られた画素化画像情報の表示を調整するための調整手段を備え、
調整は、画像の表示の表示均一性に影響を与える表示システムの少なくとも１つのハードウェアの特徴を考慮して、分布輝度および／または色変動補正信号を画素化画像情報の表示に与えることによって行なわれることを特徴とする、画像プロセッサ。
【請求項１５】
請求項１から１３のいずれか１項に記載の方法を実行するように適合化される、請求項１４に記載の画像プロセッサ。
【請求項１６】
画素化画像情報を表示するための表示システムであって、請求項１４または１５に記載の画像プロセッサを備える、表示システム。
【請求項１７】
前記表示システムは、複数の表示タイルを備えるタイル型表示システムである、請求項１６に記載の表示システム。
【請求項１８】
前記画像プロセッサは複数のサブプロセッサを含み、各サブプロセッサは、個々の表示タイルに対して画素化画像情報の分布変動補正信号を与えるように適合化される、請求項１７に記載の表示システム。
【請求項１９】
コンピュータ上で実行されると、請求項１から１２のいずれか１項に記載の表示される画像を調整する方法、または請求項１３に記載の補正信号を導出する方法を実行するように適合化される、コンピュータプログラム製品。
【請求項２０】
請求項１９に記載のコンピュータプログラム製品を記憶する、機械読取可能データ記憶装置。
【請求項２１】
ローカルエリア通信ネットワークまたはワイドエリア通信ネットワークによる、請求項１９に記載のコンピュータプログラム製品の伝送。
【発明の詳細な説明】
【技術分野】
【０００１】
発明の技術分野
本発明は、画像システムの分野に関する。特に本発明は、タイル型表示システム、画像を表示するための方法、および画質を向上させるための方法に関する。
【背景技術】
【０００２】
発明の背景
大型表示システムの使用が広く普及し、制御室内、広告用、催事での表示用等に利用されている。使用されている最も大型の表示システムはタイル型表示システムであり、多数の表示タイルまたは表示モジュールから構成される。後者によれば、複数の表示タイルを互いに隣接して配置させることによって、従来のディスプレイを使用するよりも大きい表示面を得て、光出力または画像出力を異なる表示タイル上に分散することができる。表示タイルまたはモジュールは、全面大型ディスプレイを構成するために、互いに機械的に連結される。ディスプレイの異なるタイルまたはモジュール間の空間または間隙は、シームと呼ばれる。
【０００３】
画質の主な仕様の１つは、色および輝度の均一性である。タイル型ディスプレイについては、タイルおよびそれらのシームが人間の目によって容易に検出される規則的な構造を形成するため、色および輝度の均一性を得ることは非常に難しい場合が多い。現行のディスプレイは、色／輝度較正後に非常に滑らかとなり得るように、大きなビット深度（１６ビット以上）を有し得る。その結果、タイル型ディスプレイは全体的に非常に滑らかに見える。しかしながら、人間の目が均一な面を観察すると、機械的なシーム上のわずかな変化などのごく小さい局所的な不均一でさえも視認可能となる。
【０００４】
シームの視認性は、多数の理由によって生じる。シームの視認性の１つの原因は、１つのタイルの画素間のピッチと比較して、隣接するタイルの画素間のピッチが変化することであり、とりわけ表示タイルの位置合わせによって決まる。表示タイル間の間隙が、１つのタイル内の個々の光源または画素間のピッチと比較して、隣接するタイルの端における個々の光源（たとえばＬＥＤ）または画素間のピッチを増大させた場合、シームは暗い線として出現する。表示タイル間の間隙が、１つのタイル内の個々の光源または画像間のピッチと比較して、隣接するタイルの端における個々の光源（たとえばＬＥＤ）間のピッチを減少させた場合、シームは表示タイル間の交差点において明るい線として出現する。最初のケースでは、表示タイルの機械的接続部においてエネルギの光束が減少し、第２のケースではエネルギの光束が増大する。したがって、隣接するタイルの端においても、個々の光源間のピッチを一定に保つことが有利である。タイル間のシームの視認性の別の原因は、たとえばタイル型ディスプレイの裏側に入射し、視認方向にシームを通って誘導される環境光または迷光の存在であり得る。シームを隠すための機械的な手段が公知である。
【０００５】
デジタル画像における視覚的なアーティファクトを補正するための多数の補正技術が公知である。一例は誤差拡散の使用であり、誤差信号またはその一部を隣接する画素または次のフレームの同じ画素に分散することによって、１つの画素についての誤差が拡散される。他の方法は、たとえば米国特許番号第６，０４０，８７６号から公知であり、デジタルイメージングにおいて量子化誤差によって生じる画像輪郭作用を補償するためのディザリングの供給が知られている。ディザリングは、デジタルカラー画像信号のクロミナンス部分にディザリングを与えることによって、擬似色輪郭を低減させるのに特に適し得る。
ディザリングは、少量の雑音または擬似雑音を画像に加えることによって与えられる。
【特許文献１】米国特許番号第６，０４０，８７６号
【発明の開示】
【課題を解決するための手段】
【０００６】
発明の概要
本発明の目的は、画像を表示するための良好な装置または方法を提供することである。本発明に係る実施形態の利点は、表示システムのハードウェアの特徴、たとえば画素または画素のグループの最適な位置における変動のような表示システムの機械的な特徴によって誘起される不均一性を光学的に隠すことができる方法およびシステムを提供する点である。本発明に係る実施形態の利点は、効率的に、たとえば表示システムのハードウェアの特徴に対して大きな調整を行なう必要なしに実施し得るソフトウェアベースの方法およびシステムを提供することができる点である。本発明に係る実施形態の利点は、表示システムによる画像の表示における不均一性に影響を与えるハードウェアの特徴の変動、たとえばドリフトまたは光学的特性の劣化に容易に変質し得る画像の表示を調整するための方法およびシステムが提供される点である。上記の目的は、本発明に係る方法および装置によって実現される。
【０００７】
本発明は、表示システムにおいて表示される画像の表示を調整するための方法に関し、当該方法は、表示システムにおいて表示される画素化画像情報を得るステップを含み、表示システムは、画像の表示の表示均一性に影響を与える少なくとも１つのハードウェアの特徴を有し、さらに、輝度分布および／または色変動補正信号を画素化画像情報の表示に与えることによって、画素化画像情報の表示を調整するステップを含み、分布輝度および／または色変動補正信号は、表示均一性の知覚に影響を与えるような表示システムの少なくとも１つのハードウェアの特徴を考慮する。本発明に係る実施形態の利点は、表示システムの不均一性を光学的に隠すことができる点である。
【０００８】
ハードウェアの特徴（ｆ1，ｆ2，ｆ3）は、機械的な特徴であり得る。本発明に係る実施形態の利点は、タイル型ディスプレイにおいて機械的に誘起された光学的不均一性に対して補正が行われる点である。機械的な特徴は、所期の画素位置の変動を含み得る。
【０００９】
表示システムはタイル型表示システムであり得、複数の表示タイルを含み得る。変動補正信号を与えることによって画素化画像情報の表示を調整するための方法は、表示タイル間の複数のシームを考慮して、分布輝度および／または色変動補正信号を与えることによって、画素化情報の表示を調整するステップを含み得る。本発明に係る実施形態の利点は、補正について大きな柔軟性を可能にするので、タイル型ディスプレイのシームを光学的に隠すことができる点である。本発明に係る実施形態の利点は、表示システムの製造要件の厳密さが低下する点である。
【００１０】
少なくとも１つのハードウェアの特徴（ｆ1，ｆ2，ｆ3）は、画素における欠陥を含み得る。本発明に係る実施形態の利点は、表示システムの製造要件の厳密さが低下する点である。
【００１１】
当該方法は、表示システムを較正し、少なくとも１つのハードウェアの特徴（ｆ1，ｆ2，ｆ3）を当該較正から決定するステップをさらに含み得る。本発明に係る実施形態の利点は、較正が行われるどの時点においても、不均一性を誘起するハードウェアの特徴を考慮することができる点である。
【００１２】
分布輝度および／または色変動補正信号を画素化画像情報の表示に与えるステップは、空間的に変動する輝度および／または色補正値を画素化表示情報の表示に与えるステップ
を含み得る。本発明に係る実施形態の利点は、分布変動によって誤差を光学的に隠すことが可能となり、よって分布変動が平均化され、したがって視覚的に除去される点である。得られる輝度は所期の値に一致し得ることが利点である。
【００１３】
当該方法は、分布変動補正信号を動的に制御するステップを含み得る。
当該方法は、少なくとも１つのハードウェアの特徴において変化が検出されると、分布変動補正信号を調整するステップを含み得る。分布変動は、たとえば再較正が行われるときに適合化され得る。本発明に係る実施形態の利点は、光学的補正が、時が経つにつれてたとえば機械的な特徴などのハードウェアの特徴における変化に適応するように適合化され得る点である。
【００１４】
当該方法は、表示システムによって映された異なるフレーム間で分布変動補正信号を変動させるステップを含み得る。本発明に係る実施形態の利点は、分布変動によって小さな誘起アーティファクトが生じたとしても、わずかな期間しか生じない点である。
【００１５】
分布変動補正信号を動的に制御するステップは、振幅、帯域幅または時間における分布のいずれかを調整するステップを含み得る。
【００１６】
当該方法は、画素化表示情報を特定のタイルについての画素化表示情報に分割する前に、分布変動補正信号を画素化表示情報に与えるステップを含み得る。
【００１７】
当該方法は、分布変動補正信号を複数の表示タイルに別個に与えるステップを含み得る。
【００１８】
本発明は、表示システムにおいて表示される画像の表示を調整するための補正信号を導出するための方法にも関する。当該方法は、画像の表示の表示均一性に影響を与える表示システムの少なくとも１つのハードウェアの特徴に関する情報を得るステップと、表示システムの少なくとも１つのハードウェアの特徴を考慮して、分布輝度および／または色変動補正信号を導出するステップとを含む。
【００１９】
本発明はさらに、表示システムの画素化表示情報を処理するための画像プロセッサにも関する。画像プロセッサは、画像の表示の表示均一性に影響を与える表示システムの少なくとも１つのハードウェアの特徴を考慮して、分布輝度および／または色変動補正信号を画素化画像情報の表示に与えることによって、得られた画素化画像情報の表示を調整するための調整手段を含む。
【００２０】
画像プロセッサは、上記の方法を実行するように適合化され得る。
本発明はさらに、画素化画像情報を表示するための表示システムにも関する。表示システムは画像プロセッサを含み、画像プロセッサは、画像の表示の表示均一性に影響を与える表示システムの少なくとも１つのハードウェアの特徴を考慮して、分布輝度および／または色変動補正信号を画素化画像情報の表示に与えることによって、得られた画素化画像情報の表示を調整するための調整手段を含む。
【００２１】
表示システムは、複数の表示タイルを備えるタイル型表示システムであり得る。
画像プロセッサは複数のサブプロセッサを含み得る。各サブプロセッサは、個々の表示タイルに対して画素化画像情報の分布変動補正信号を与えるように適合化される。
【００２２】
本発明は、コンピュータ上で実行されると、上記の表示される画像を調整する方法、または上記の補正信号を導出する方法を実行するように適合化されるコンピュータプログラム製品にも関する。
【００２３】
本発明はさらに、そのようなコンピュータプログラム製品を記憶する機械読取可能データ記憶装置、またはローカルエリア通信ネットワークもしくはワイドエリア通信ネットワークによるその伝送に関する。
【００２４】
本発明に係る実施形態の利点は、ディスプレイ、たとえばタイル型ディスプレイ全体の良好な均一性を得ることができる点である。本発明に係る実施形態によれば、ディスプレイ全体の均一性は、意図的な外乱を与えることによって向上させ得る。本発明に係る実施形態の利点は、小さなアーティファクトを光学的に隠すことができる点である。
【００２５】
本発明の特定の局面および好ましい局面を、添付の独立請求項および従属請求項に記載する。従属請求項の特徴は、請求項に明白に記載しているだけではなく、適宜独立請求項の特徴および他の従属請求項の特徴と組合せ得る。本発明の教示によれば、改良された方法および装置の設計が可能となる。
【００２６】
本発明の上記および他の特徴、機能および利点は、発明の原理を例示する添付の図面と併せると、以下の詳細な説明から明らかとなるであろう。この説明は例示のみを目的とし、本発明の範囲を限定するものではない。以下で引用する参照符号は、添付の図面を参照する。
【００２７】
異なる図において、同じ参照符号は同じまたは類似の要素を示す。
【発明を実施するための最良の形態】
【００２８】
例示的な実施形態の説明
特定の実施形態に関して一部の図面を参照して本発明を説明するが、本発明はそれに限定されず、請求項によってのみ限定される。説明される図面は概略的なものにすぎず、限定的なものではない。図面において、例示を目的として一部の要素の寸法が誇張され、同じ縮尺で描かれていない場合がある。寸法および相対的な寸法は、本発明の具体的な実施には対応しない。さらに、説明および請求項における第１、第２、第３等の用語は、類似の要素を区別するのに用いられ、必ずしも時間的、空間的、順位などのいずれによっても順序を記載するとは限らない。
【００２９】
このように用いられる用語は適切な状況のもとで交換可能であり、ここに記載する発明の実施形態は、ここに説明または図示されるものとは別の順序で動作可能であると理解される。なお、請求項で用いられる「備える」という用語は、その後に列挙される手段に制限されると解釈すべきではなく、他の要素またはステップを排除するものではない。従って、上記の機能、整数、ステップまたは構成要素の存在を言及されている通りに規定するが、１つ以上の他の機能、整数、ステップもしくは構成要素、またはそのグループの存在を排除しないと解釈すべきである。したがって、「手段ＡおよびＢを備える装置」という表現の範囲は、構成要素ＡおよびＢのみからなる装置に限定されるべきではない。本発明について、関連する唯一の装置がＡおよびＢであることを意味する。
【００３０】
本明細書を通して、「一実施形態」または「ある実施形態」とは、実施形態に関連して説明される特定の機能、構造または特徴が本発明の少なくとも１つの実施形態に含まれることを意味し、必ずしもすべてが同一の実施形態を指すとは限らない。さらに、特定の機能、構造または特徴は、１つ以上の実施形態において、本開示から当業者にとって明らかであろういずれかの適切なやり方で組合せ得る、または個々に適用し得る。
【００３１】
本発明のいくつかの実施形態の詳細な説明によって、本発明を説明する。本発明の真の精神および技術的教示から逸脱することなく、当業者の知識に従って発明の他の実施形態
を構成することができ、発明は添付の請求項の用語によってのみ限定されることは明白である。
【００３２】
第１の局面において、本発明は、表示システムにおいて画像の表示を調整するための方法に関する。表示システムは、アドレス指定可能な表示技術、たとえば燐光性、エレクトロルミネセント、有機もしくは無機放射、反射、または他の公知の表示技術に基づく表示システムであり得る。ある特定の実施形態においては、表示システムは、互いに隣接して位置決めされて大型表示パネルを構成する複数の表示タイルを用いて画像が生成されるタイル型表示システムであり得る。タイル型ディスプレイは、たとえば表示タイルのマトリックスとして組立てられ得る。使用される表示タイルの数は、必要なタイル型ディスプレイの寸法と個々の表示タイルの寸法とに依存し得る。たとえばＮ×Ｍ配列の表示タイルを使用し得る。表示タイルの間には、シームとも称する間隙が存在する。表示システムは、代替的に１つの画像パネルであり得る。当該方法は、画像システム上に表示される画素化画像情報を得るステップを含む。画像情報源と使用される表示システムとに依存して、画素化画像情報は、外部ソースから直接得ることができる、または画素化画像情報への入力信号を処理することによって得ることができる。画素化画像情報は、全タイル型ディスプレイを表わす画像情報であり得る、または個々の表示タイルについての画素化画像情報の組合せであり得る。
【００３３】
本発明の実施形態によれば、当該方法は、光学的に隠すことによって知覚される表示の不均一性の影響を低減するように、表示システムにおける画像の表示を調整するように適合化される。当該方法は、ハードウェアの特徴の影響を低減するように適合化される。このようなハードウェアの特徴は、たとえば表示タイル間におけるシームの発生、画素間のピッチにおける変動の発生などの機械的な特徴、またはＬＥＤディスプレイにおいて壊れたＬＥＤなどの画素の欠陥といった他のハードウェアの特徴であり得る。このような機械的な特徴は典型的に、知覚される表示の不均一性に顕著な影響を及ぼし得る。
【００３４】
本発明の実施形態によれば、当該方法は、画素化表示情報の表示に分布変動補正信号を与えることによって、画素化画像情報の表示を調整するステップをさらに含む。画素化画像情報の表示を調整するステップは、他の画素化画像情報が表示されるように画素化画像情報を調整するステップ、すなわち画素化画像情報を処理することによって表示を調整するステップを含み得る。代替的にまたはさらに、画素化画像情報の表示が調整されるように表示システムを調整するステップを含み得る。たとえば後者は、光源、たとえばＬＥＤ、ライトバルブ等を調整することによって行ない得る。ハードウェアレベルでのディザリングの導入を実行するための一実施形態は、ディザリングを誘起させるための専用の処理ユニットを使用することにより、専用処理ユニットのコードを修正することによって、ディザリングの修正または制御を行なうことができる。代替的にまたはさらに、ディザリングの一部もしくはすべて、またはディザリングのための特定の設定をソフトウェアレベルで導入することができ、ソフトウェア設定への変更を行なって、ディザリングを制御または修正することができる。誘起された分布変動補正信号は、輝度および／または色変動をもたらし得る。輝度および／または色変動に対する空間的に変動する補正であり得、異なる画素に対して輝度および／または色における空間的な変動補正信号を与える。分布変動補正信号は、輝度または色における変動が平均して実現しないように選択し得る。換言すると、人間の目によって平均化され、よって変動が視覚的に除去され、その結果、所期の輝度または色値をもたらすように補正が行なわれる。しかし、このような補正は、表示システムのハードウェアの特徴によって誘起される不均一性を光学的に隠すのを補助し得る。後者は、導入されたディザリングまたは雑音の分布によって引起され得、それによって小さい局所的なアーティファクトによって生成された不均一性誤差が人間の目によって平均化される。一実施形態において、分布変動補正信号は、画像を生成するための個々の表示要素の通常の輝度レベルに置き換えられる雑音と考えられ得る。
【００３５】
本発明の実施形態によれば、画素化画像情報の表示は、画像の表示の不均一性に影響を与える表示システムの少なくとも１つのハードウェアの特徴を考慮して、分布変動補正信号を与えることによって調整される。
【００３６】
本発明の実施形態によれば、分布変動補正は、一時的な静止分布変動補正であり得る。分布変動補正は、一時的な動的分布変動補正であり得る。動的な文字は、時間における変動、たとえば表示される画像情報の異なるフレーム間の変動を意味し得る。分布変動補正は、振幅の変動または帯域幅の変動であり得る。
【００３７】
補正信号は、外部のソースから受信され得る、またはたとえば所定のアルゴリズム、ニューラルネットワーク、数学的方法等を用いて算出し得る。当該方法は、所定のアルゴリズムに従って分布変動補正信号を生成するステップを含み得、それにより、分布変動は、画像の表示の不均一性に影響を与える少なくとも１つのハードウェアの特徴に依存する、またはその関数である。一部の実施形態では、画素化画像情報ＯＰについて、画像データを処理することによって調整が行なわれ、ハードウェアの特徴ｆ1、ｆ2およびｆ3に依存する分布変動補正信号ＶＣを画素化画像情報ＯＰに付加することによって、対応する調整された画素化画像情報ＡＰが得られる。すなわち、
ＡＰ＝ＯＰ＋ＶＣ（ｆ1，ｆ2，ｆ3）
一部の実施形態では、当該方法は、表示システムのプロセッサにおいて分布変動補正信号を生成するステップを含み得る。分布変動補正信号ＶＣは、たとえば、ある分布を有する異なる値をピクセルごとに生成するためのランダムジェネレータであり得る。分布の種類は、初期に視認可能なハードウェアの特徴ｆ1、ｆ2およびｆ3に依存して調整し得る。タイル型表示システムであれば、当該方法は、異なるタイルに共通する中央プロセッサにおいて分布変動補正信号を生成するステップを含み得る。この場合、分布変動補正信号は、画素化表示情報が個々のタイルについての画素化表示情報に分割される前に与えられる。代替的にまたはさらに、当該方法は、異なる表示タイルに各々設けられた分布プロセッサにおいて分布変動信号を生成するステップ、および／または分布プロセッサにおいて分布変動補正信号を与えるステップを含み得る。
【００３８】
任意のステップにおいて、当該方法は、調整する、得る、または生成するステップの前に、表示システムを較正し、画像の表示における不均一性に影響を与える少なくとも１つのハードウェアの特徴をその較正から決定するステップを含み得る。代替的に、当該少なくとも１つのハードウェアの特徴に関する情報を得ることができる。このような較正ステップは、表示システムの製造または組立てステップの後で行なうことができる。較正はいつでも行なうことができ、したがって当該少なくとも１つのハードウェアの特徴の変化を考慮することができる点が利点である。考慮する必要がある１つ以上の特徴は、このようにして導出することができる。決定ステップは、自動的に行なうことができる、またはユーザもしくはインストーラーによって行い得る。決定ステップは、ハードウェアの欠陥の位置、寸法および種類についての情報を得るステップを含み得る。
【００３９】
さらに任意のステップにおいて、当該方法は、調整のフィードバックを与えるステップを含み得る。後者は表示システムの出力を検出することによって行なうことができ、系時劣化、ドリフト等に対する当該少なくとも１つのハードウェアの特徴の変化の関数として調整を適合化することができる。
【００４０】
一実施形態において、与えられる分布変動補正信号を反復処理において制御または調整することができ、それにより第１の分布変動補正信号が与えられ、表示システムの出力が測定され、分布変動補正信号は、測定された出力に鑑みてさらに適合化される。このように、最適な補正を行なうための自動システムを得ることができる。分布変動補正信号の調
整は、たとえば、補正信号の強さ、その空間および／または周波数分布等を調整するステップを含み得る。
【００４１】
第２の局面において、本発明は、画像の表示を調整するための補正信号を調整するための補正信号を導出するための方法に関する。このような方法は、表示システムにおける画像の表示における不均一性に影響を与える少なくとも１つのハードウェアの特徴に関する情報を得るステップを含む。後者は、直接入力等によって、前もって行なわれた実験から情報を受取るステップを含み得る。情報を得るステップは、ハードウェアの特徴に関する情報を検出すること、たとえばセンサで測定することによって行なうこともできる。当該方法はさらに、得られた情報から分布変動補正信号を導出するステップを含む。当該信号は、したがって表示システムの当該少なくとも１つのハードウェアの特徴を考慮している。後者は所定のアルゴリズム、ニューラルネットワークまたは所定のルールに従って行なうことができる。代替的にまたはさらに、アルゴリズムまたはニューラルネットワークの特定の設定を行って、分布変動補正信号を変更または修正してもよい。分布変動補正信号は、不規則性を誘起するよう、すなわちハードウェア欠陥および光学的なソフトウェア欠陥が視認できなくなるように秩序を排除するよう調整し得る。ランダム分布を誘起し得る。雑音を誘起し得る。雑音またはランダムな分布は、画像プロセッサを用いて画像データに付加し得る。分布変動補正信号は、振幅が限定された変動を誘起し得る。
【００４２】
第３の局面において、本発明は、表示システムについて画素化表示情報を処理するための画像プロセッサにも関する。このような画像プロセッサは、画像の表示の表示不均一性に影響を与える表示システムの少なくとも１つのハードウェアの特徴を考慮して、画素化画像情報の表示に分布変動補正信号を与えることによって、得られた画素化画像情報を調整するための調整手段を含む。プロセッサは、第１の局面において説明した種々の方法機能の機能性を有する機能および構成要素をさらに含み得る。プロセッサは、異なるタイルに共通するプロセッサであってもよい、または複数のサブプロセッサであってもよく、各プロセッサは、１つ以上のタイルの画像情報を処理するように適合化される。コントローラは、計算装置、たとえばマイクロプロセッサを含み、たとえばマイクロコントローラであり得る。特に、プログラマブルコントローラ、たとえばプログラマブルアレイロジック（ＰＡＬ）、プログラマブルロジックアレイ、プログラマブルゲートアレイ、特にフィールドプログラマブルゲートアレイ（ＦＰＧＡ）などのプログラマブルデジタルロジックデバイスを含み得る。ＦＰＧＡの使用によって、後のプログラミング、たとえばＦＰＧＡの所望の設定をダウンロードすることが可能になる。
【００４３】
第４の局面において、本発明は、第３の局面において説明した調整プロセッサを含む、画素化情報を表示するための表示システムにさらに関する。表示システムは、アドレス指定可能な表示技術、たとえば燐光性、エレクトロルミネセント、有機もしくは無機放射、反射、または他の公知の表示技術に基づく表示システムであり得る。このような表示システムはタイル型表示システムであり得るが、１つの表示システムでもあり得る。表示システムは、各々が複数の画素を有する複数のタイルを含み得る。例として、本発明はそれに限定されないが、例示的な表示システムを図１に示す。表示システム１００は、多数の標準的かつ任意の構成要素、たとえば複数の表示タイル１１０を示す。複数の表示タイル１１０は、複数の画素１２０を含み得る。図１はさらに、表示システムの不均一性に影響を与える多数のハードウェアの特徴を示す。この例では、表示タイル間におけるシームｆ1、表示要素の位置における変動ｆ2、欠陥表示要素ｆ3等である。第３の局面において説明した調整プロセッサ１３０も示す。
【００４４】
表示システム１００はさらに、コントローラ１３０にフィードバックを与えるためのフィードバックシステム１４０を含み得る。フィードバックシステム１４０は、フォトダイオード、アレイ光検出器等の光検出器などの光学式検出器１４２を有し得る。光学式検出
器１４２は、たとえばユーザによって知覚できるような、表示システムによる画像の表示を検出するように適合化され得る。フィードバックシステム１４０は、光学式検出器１４２と調整プロセッサ１３０との間にフィードバックループを設け得る。フィードバックシステム１４０はさらに、少なくとも１つのハードウェアの特徴に関する情報を検出された信号から導出するための計算ユニット１４４を含み得る。計算ユニット１４４は、したがって所定のアルゴリズム、参照用テーブル（ＬＵＴ）または他のいずれかの適切な手段を使用し得る。計算ユニット１４４はさらに、制御信号を与えて、誘起された分布変動を調整するために、知覚された画像の不均一性における最小しきい値を考慮するように適合化され得る。このようなしきい値は、所定のレベルに設定し得る。フィードバックシステム１４０によって、画素化画像情報の表示の自動化されたまたは自動的な調整が可能になり得る。表示システム１００は、画素化画像情報に対して誘起される分布輝度および／または色変動である補正信号を、たとえばフィードバックシステムから得られたまたは較正中に得られたハードウェアの特徴の情報から導出するための手段１５０を、たとえばコントローラにおいてさらに含む。このような導出手段は、第２の局面において説明したような方法を実行するための機能を有し得る。
【００４５】
本発明の上記の方法実施形態は、図２に示すような処理システム５００において実施し得る。図２は処理システム５００の一構成を示し、少なくとも一形態のメモリ、たとえばＲＡＭ、ＲＯＭなどを有するメモリサブシステム５０５に連結された少なくとも１つのプログラマブルプロセッサ５０３を含む。なおプロセッサ５０３は、汎用または特定用途のプロセッサであり得、たとえば、他の機能を実行する他の構成要素を有するチップであり得、装置に追加され得る。したがって、本発明の一つ以上の局面は、デジタル電子回路において、またはコンピュータハードウェア、ファームウェア、ソフトウェア、もしくはそれらの組合せにおいて実施することができる。処理システムは、少なくとも１つのディスクドライブおよび／またはＣＤ−ＲＯＭドライブおよび／またはＤＶＤドライブを有する記憶サブシステム５０７を有し得る。一部の実施例においては、表示システム、キーボード、およびポインティングデバイスをユーザインターフェイスサブシステム５０９の一部として追加して、ユーザに情報を手動入力させ得る。データを入出力させるためのポートも追加し得る。ネットワーク接続、多様な装置へのインターフェイスなどのさらなる要素を設け得るが、図２には示していない。処理システム５００の多様な要素は、簡単にするために１本のバスとして図２に示すバスサブシステム５１３によるなどの多様な方法で連結され得るが、少なくとも１本のバスのシステムを含むことが当業者には理解されるであろう。メモリサブシステム５０５のメモリは、処理システム５００上で実行されると、ここに説明した方法実施形態のステップを実施する１組の指令の一部または全部（いずれの場合も５１１として示す）をどの時点においても保持し得る。したがって、図２に示したような処理システム５００は先行技術であるものの、画像の表示を調整するための方法の局面を実施するための指令を含むシステムは先行技術ではないため、図２は先行技術とは表示しない。
【００４６】
本発明は、計算装置上で実行されると、本発明に係る方法のいずれかの機能を提供するコンピュータプログラム製品も含む。このようなコンピュータプログラム製品は、機械読取可能コードを保持する保持媒体に有形に具体化して、プログラマブルプロセッサによって実行することができる。本発明はしたがって、計算手段上で実行されると、上記の方法のいずれかを実行するための指令を与えるコンピュータプログラム製品を保持する保持媒体に関する。「保持媒体」という用語は、プロセッサに実行させる指令を与えるのに関与するいずれかの媒体を指す。このような媒体は、限定はしないが、不揮発性媒体および伝送媒体を含む多くの形態を取り得る。不揮発性媒体は、たとえば、大容量記憶装置の一部である記憶装置などの光学または磁気ディスクを含む。コンピュータ読取可能媒体の一般的な形態は、ＣＤ−ＲＯＭ、ＤＶＤ、フレキシブルディスクもしくはフロッピー（登録商標）ディスク、テープ、メモリチップもしくはカートリッジ、またはコンピュータが読取
ることができるいずれかの他の媒体を含む。コンピュータ読取可能媒体の多様な形態は、プロセッサに実行させる１つ以上の指令のうちの１つ以上のシーケンスを保持するのに関与し得る。コンピュータプログラム製品は、ＬＡＮ、ＷＡＮ、またはインターネットなどのネットワークにおいて搬送波によって伝送することもできる。伝送媒体は、無線波および赤外線データ通信中に生成されるような音波または光波の形態を取り得る。伝送媒体は、コンピュータ内のバスを含むワイヤなどの同軸ケーブル、銅線、および光ファイバを含む。
【００４７】
本発明に係る装置について、好ましい実施形態、特定の構造および構成、ならびに材料をここに記載したが、本発明の範囲および精神から逸脱することなく、形態および細部においてさまざまな変更または修正を行ない得ると理解される。たとえば、上記のいずれかの配合は、使用し得る処理の代表例にすぎない。機能をブロック図に追加しても削除してもよく、機能ブロック間で動作を交換してもよい。本発明の範囲内において、説明した方法にステップを追加しても削除してもよい。
【図面の簡単な説明】
【００４８】
【図１】本発明の実施形態に係る画像の表示を調整するためのプロセッサを有する例示的な表示システムの概略図である。
【図２】本発明の実施形態に従って使用し得る例示的な計算システムの概略図である。
【符号の説明】
【００４９】
１００  表示システム、１１０  表示タイル、１２０  画素、１３０  調整プロセッサ、１４０  フィードバックシステム、１４２  光学式検出器、１４４  計算ユニット、１５０  導出手段
【図１】
2009093181.tif 000003
【図２】
2009093181.tif 000004
【外国語明細書】
2009093181000001.pdf